(57)【要約】      （修正有）【課題】  仕切弁の設置後に動力伝達手段を再度設置する作業を要することなく、設置工程を短縮化することができる既設流体管の不断水仕切弁設置方法及び仕切弁設置装置を提供すること。【解決手段】  仕切弁４の上蓋５の上面には、予め動力伝達手段２８と、動力伝達手段２８を水密的に被覆可能なカバー２とが取り付けられており、上蓋５により筐体１０の弁体７側が水密的に密封した後に、カバー２を取り外すことにより、仕切弁４の設置後に動力伝達手段２８を再度設置する作業を要することなく、設置工程を短縮化することができる。【選択図】  図４
2006250295.tif 000002
【特許請求の範囲】
【請求項１】
既設流体管の一部を密封ケースで水密的に密封して、前記既設流体管の所定切除箇所を不断水状態で切除して、少なくとも上蓋と動力伝達手段により動作可能な弁体とからなる仕切弁を、前記密封ケースの内部を押動可能な挿入手段にて前記所定切除箇所に設置するのと略同時に、前記上蓋により前記密封ケース内部の前記弁体側を水密的に密封して、流路の遮断若しくは流路を形成する既設流体管の不断水仕切弁設置方法であって、
前記上蓋の上面には、予め前記動力伝達手段と、前記動力伝達手段を水密的に被覆可能なカバーとが取り付けられており、前記上蓋により前記弁体側が水密的に密封した後に、前記カバーを取り外すことを特徴とする既設流体管の不断水仕切弁設置方法。
【請求項２】
前記密封ケースが、互いの接続口を介して分割可能に接続され前記密封ケース内部を開閉可能な開閉弁を有する作業ケースと、筐体とからなり、前記所定切除箇所が前記筐体の内部に設けられており、前記筐体の前記接続口の近傍において前記上蓋により前記筐体の内部を水密的に密封した後に、前記カバーと前記作業ケースとを取り外す請求項１に記載の既設流体管の不断水仕切弁設置方法。
【請求項３】
既設流体管の一部を密封ケースで水密的に密封して、前記既設流体管の所定切除箇所を不断水状態で切除して、少なくとも上蓋と動力伝達手段により動作可能な弁体とからなる仕切弁を、前記密封ケースの内部を押動可能な挿入手段にて前記所定切除箇所に設置して、流路の遮断若しくは流路を形成する既設流体管の不断水仕切弁設置装置であって、
前記仕切弁設置時に、前記上蓋が前記密封ケース内部の前記弁体側を水密的に密封し且つ、前記上蓋の上面には、予め前記動力伝達手段と、前記動力伝達手段を水密的に被覆可能であり前記上蓋に着脱可能なカバーと、が取り付けられていることを特徴とする既設流体管の不断水仕切弁設置装置。
【請求項４】
前記密封ケースが、互いの接続口を介して分割可能に接続され前記密封ケース内部を開閉可能な開閉弁を有する作業ケースと、筐体とからなり、前記所定切除箇所が前記筐体の内部に設けられている請求項３に記載の既設流体管の不断水仕切弁設置装置。
【請求項５】
前記動力伝達手段が、ギア減速手段である請求項３または４に記載の既設流体管の不断水仕切弁設置装置。
【発明の詳細な説明】
【技術分野】
【０００１】
本発明は、既設流体管を密封ケースで密封して、前記既設流体管の所定箇所を不断水状態で切除して、仕切弁を前記密封ケース内部に挿入して、流路の遮断若しくは流路を形成する既設流体管の不断水仕切弁設置方法及び仕切弁設置装置に関する。
【背景技術】
【０００２】
従来の既設流体管の不断水仕切弁設置方法及び仕切弁設置装置は、弁体を作動可能な動力伝達手段が取り外された状態の仕切弁を不断水状態にて密封ケース内の所定の箇所に設置する作業を行っている（例えば、特許文献１参照）。
【０００３】
【特許文献１】特開平６−１７９８６号公報（第２頁、第1図）
【発明の開示】
【発明が解決しようとする課題】
【０００４】
しかしながら、特許文献１において、対象となる仕切弁が大型化する場合には、動力伝達手段が取り外された状態の仕切弁を不断水状態にて密封ケース内に設置した後に、動力伝達手段を仕切弁に再度取り付ける作業を行っているために、作業手間や工程が増大するという問題を有していた。
【０００５】
本発明は、このような問題点に着目してなされたもので、仕切弁の設置後に動力伝達手段を再度設置する作業を要することなく、設置工程を短縮化することができる既設流体管の不断水仕切弁設置方法及び仕切弁設置装置を提供することを目的とする。
【課題を解決するための手段】
【０００６】
上記課題を解決するために、本発明の請求項１に記載の既設流体管の不断水仕切弁設置方法は、既設流体管の一部を密封ケースで水密的に密封して、前記既設流体管の所定切除箇所を不断水状態で切除して、少なくとも上蓋と動力伝達手段により動作可能な弁体とからなる仕切弁を、前記密封ケースの内部を押動可能な挿入手段にて前記所定切除箇所に設置するのと略同時に、前記上蓋により前記密封ケース内部の前記弁体側を水密的に密封して、流路の遮断若しくは流路を形成する既設流体管の不断水仕切弁設置方法であって、
前記上蓋の上面には、予め前記動力伝達手段と、前記動力伝達手段を水密的に被覆可能なカバーとが取り付けられており、前記上蓋により前記弁体側が水密的に密封した後に、前記カバーを取り外すことを特徴としている。
この特徴によれば、仕切弁の上蓋の上面に予め動力伝達手段を水密的に被覆可能なカバーが取り付けられており、水密的に密封された密封ケース内において、上蓋の上面に予め動力伝達手段を取り付けた状態にて仕切弁の設置が可能となるため、仕切弁の設置後に動力伝達手段を再度設置する作業を要することなく、設置工程を短縮化することができる。
【０００７】
本発明の請求項２に記載の既設流体管の不断水仕切弁設置方法は、請求項１に記載の既設流体管の不断水仕切弁設置方法であって、前記密封ケースが、互いの接続口を介して分割可能に接続され前記密封ケース内部を開閉可能な開閉弁を有する作業ケースと、筐体とからなり、前記所定切除箇所が前記筐体の内部に設けられており、前記筐体の前記接続口の近傍において前記上蓋により前記筐体の内部を水密的に密封した後に、前記カバーと前記作業ケースとを取り外すことを特徴としている。
この特徴によれば、密封ケースが、分割可能に接続され開閉弁を有する作業ケースと、筐体とからなり、筐体の近傍において上蓋により筐体の内部を密封した後に、カバーと作業ケースとを取り外すことにより、仕切弁設置後に既設流体管を密封して残置される筐体が小型化できるため、筐体の既設流体管への密封作業がし易くなる。
【０００８】
本発明の請求項３に記載の既設流体管の不断水仕切弁設置装置は、既設流体管の一部を密封ケースで水密的に密封して、前記既設流体管の所定切除箇所を不断水状態で切除して、少なくとも上蓋と動力伝達手段により動作可能な弁体とからなる仕切弁を、前記密封ケースの内部を押動可能な挿入手段にて前記所定切除箇所に設置して、流路の遮断若しくは流路を形成する既設流体管の不断水仕切弁設置装置であって、
前記仕切弁設置時に、前記上蓋が前記密封ケース内部の前記弁体側を水密的に密封し且つ、前記上蓋の上面には、予め前記動力伝達手段と、前記動力伝達手段を水密的に被覆可能であり前記上蓋に着脱可能なカバーと、が取り付けられていることを特徴としている。
この特徴によれば、仕切弁の上蓋の上面に予め動力伝達手段を水密的に被覆可能なカバーが取り付けられており、水密的に密封した密封ケース内において、上蓋の上面に予め動力伝達手段を取り付けた状態にて仕切弁の設置が可能となるため、既設流路から流れ込む流体の浸入をカバーにより防いでおり、設置の際に動力伝達手段を防護できる。
【０００９】
本発明の請求項４に記載の既設流体管の不断水仕切弁設置装置は、請求項３に記載の既設流体管の不断水仕切弁設置装置であって、前記密封ケースが、互いの接続口を介して分割可能に接続され前記密封ケース内部を開閉可能な開閉弁を有する作業ケースと、筐体とからなり、前記所定切除箇所が前記筐体の内部に設けられていることを特徴としている。
この特徴によれば、密封ケースが、分割可能に接続され開閉弁を有する作業ケースと、筐体とからなり、所定切除箇所が筐体の内部に設けられていることにより、筐体の内部を水密的に密封した後に、カバーと共に作業ケースを取り外すことができるため、仕切弁設置後の構造がシンプルになるばかりか、カバーや作業ケースの再利用が可能となる。
【００１０】
本発明の請求項５に記載の既設流体管の不断水仕切弁設置装置は、請求項３または４に記載の既設流体管の不断水仕切弁設置装置であって、前記動力伝達手段が、ギア減速手段であることを特徴としている。
この特徴によれば、ギア減速手段を予め上蓋に取り付けて水密的なカバーで被覆することにより、仕切弁の設置の際に流体の浸入を防ぐことができるため、ギア部を有するギア減速手段の潤滑性を確保できるばかりか、ギア部に付着している潤滑材が既設流路に混入することを防護できる。
【発明を実施するための最良の形態】
【００１１】
本発明の実施例を以下に説明する。
【実施例１】
【００１２】
本発明の実施例を図面に基づいて説明すると、先ず図1は、本発明の実施例における既設水道管に仕切弁が設けられた筐体を装着した配管の全体像を示す平面図である。（ａ）は、既設水道管に装着した状態及び管内流体の流下方向を示した平面図であり、（ｂ）は、同じく既設水道管を切断した状態を示した平面図であり、（ｃ）は、同じく筐体内部に設置されたバタフライ弁の開状態を示した平面図であり、（ｄ）は、同じくバタフライ弁の閉状態を示した平面図である。図２（ａ）は、本発明におけるバタフライ弁を示す斜視図であり、（ｂ）は筐体の全体像を示す斜視図である。図３（ａ）は、カバーの全体を示した縦断面図であり、（ｂ）は（ａ）のＡ−Ａ断面図である。図４（ａ）は、バタフライ弁の設置される状況を示した縦断面図であり、（ｂ）は同じく設置された状況を示した縦断面図である。図５は、バタフライ弁が設置された筐体の状況を示した縦断面図である。図６（ａ）は、既設水道管の切断状況を示した図であり、（ｂ）は同じく管片除去の状況を示した図である。
【００１３】
本発明の実施例における不断水仕切弁設置装置の装着後の配管状況について説明すると、図1（ａ）に示すように、上水管である既設水道管１の管内流体の流下方向に対して、例えば既設水道管１の一部に撤去や補修が必要な特定エリアＥよりも上流側の管部分に、本発明の実施例における筐体１０からなる不断水仕切弁設置装置を既設水道管１の外周面に水密的に装着し、筐体１０内部の既設水道管１部分（所定切除箇所）を後述する方法にて切断して（図１（ｂ））、当該切断箇所にバタフライ弁４（仕切弁）を装着し、図１（ｃ）、（ｄ）に示すように、既設水道管１の既設流路を開閉可能とする構成を有している。
【００１４】
このような仕切弁設置装置の配設により、既設水道管１の特定エリアＥには管内流体が流下しないように操作できるため、特定エリアＥに位置する管部分の撤去やあるいは補修等の作業が可能となる。
【００１５】
図２（ａ）、（ｂ）に示すように、本実施例の仕切弁設置装置は、既設水道管の流路を変更するバタフライ弁４と筐体１０とからなり、バタフライ弁４は、ほぼ中央部に開口Ｈを有する仕切壁６と、開閉軸４０を中心に回動して開口Ｈを開閉可能である弁体７と、仕切壁６の上端部と一体的に連接される水平方向に備えられる円形の上蓋５と、上蓋５上面に設けられる減速ギア２８（動力伝達手段）とからなる。
【００１６】
弁体７の左右中心位置には、上下方向に延びる開閉軸４０が設けられており、図２（ａ）に示されるように、弁体７の下部周縁より下方に延設された開閉軸４０の下端部は、開口Ｈの下部に設けられた下軸受部４１ｂに嵌挿され回動可能に軸支されている。同様に開閉軸４０の上端部は、上蓋５の上面に設けられる上軸受部４１ａに嵌挿され回動可能に軸支されている。
【００１７】
また、開閉軸４０は、開閉軸４０と略同軸なる減速ギア２８のギア部２８ａを介して操作軸２９と噛合されているために、操作軸２９を回動操作することにより、開閉軸４０に該回動動作が伝達されて弁体７が開閉可能に回動できるようになっている。
【００１８】
したがって、弁体７は開閉軸４０を中心に回動可能であり開口Ｈを開閉可能となっており、また弁体７は開口Ｈと略同一形状であって、弁体７の閉状態においては弁体７の全周縁がシール部材からなる弁座部４２と密接するため、管内流体が開口Ｈを流通することが封止される。
【００１９】
また、バタフライ弁４の設置時において、上蓋５の上部は後述するカバー２により中空内部Ｓが水密的に密封されるために、減速ギア２８がバタフライ弁４に取り付けられた状態にてバタフライ弁４の設置が可能となっている。
【００２０】
図２（ｂ）に示すように、筐体１０は上部筐体１１と下部筐体１２とからなる上下２部分に分割可能となっている。筐体１０は、既設水道管１の外径よりも大なる内径を有する円筒形からなっており、上面に上向きに開口した円形の接続口１０ａが形成され、側面にも水平方向に開口した円形の側方開口部Ａ、Ａ’が２箇所形成されている。
【００２１】
また、水平方向の同一の中心軸Ｃを有し、筐体１０の側面において互いの対面に位置する側方開口部Ａ及び側方開口部Ａ’の内径は、既設水道管１の外径よりもほぼ同一あるいは若干大きく形成されており、これら側方開口部Ａ、Ａ’の両端部近傍における内面には水密的なゴム輪１４が備えられている。
【００２２】
また、筐体１０側面下部には、筐体１０の内部に設置されたバタフライ弁４の上流側には開閉可能な上流側口１３ａが設けられ、同様にバタフライ弁４の下流側には開閉可能な下流側口１３ｂが設けられている。後述する既設水道管１の切断時においては、上流側口１３ａ、下流側口１３ｂは筐体１０の外部と連通可能となっている。
【００２３】
また、筐体１０の外側面にから内面に向けて螺挿される固定プラグねじ２３が、後述するバタフライ弁４の設置位置における、上蓋５の上面と当接する高さ位置に筐体１０の平面視円周方向に略等間隔に６箇所配設されている。
【００２４】
筐体１０の既設水道管１への装着について説明すると、上部筐体１１及び下部筐体１２を、それぞれ既設水道管１の上方及び下方から、中心軸Ｃと既設水道管１の中心軸とを合わせる位置で、既設水道管１の外周部に装着する。既設水道管１の外周部に装着した上部筐体１１及び下部筐体１２の突合せ部１８は、溶接加工により接合を行う。また、開口部Ａ及び開口部Ａ’において、ゴム輪１４を、筐体１０側のフランジ１７と分割構造の押し輪２１との間に挟み込むことにより、筐体１０と既設水道管１の外周面との接合を行う。
【００２５】
従って、溶接加工による上部筐体１１及び下部筐体１２の接合と、開口部Ａ、Ａ’の両端部及び既設水道管１の外周面との接合と、後述するバタフライ弁４の上蓋５及び筐体１０の接続口１０ａ近傍の内面の接合と、により筐体１０の内部は水密的となっている。
【００２６】
次に本実施例のカバー２は、図３（ａ）、（ｂ）に示されるように、上面と側周面とが鋼材により被覆され下部が開口しており、平面視略円形の中空内部Ｓを有するカバー体２４からなる。カバー体２４の側周面の下部には、バタフライ弁４の上蓋５の外径より小さい外径を有する環状部材２５が固着されている。環状部材２５のボルト孔２５ａと上蓋５の上面のタップ孔５ａとを介してボルト２７にて接続することで、図２（ａ）で示される上蓋５の上面に環状に設けられるシール材８ｃと、環状部材２５の下面とが接合して、カバー体２４の中空内部Ｓが水密的に密封されるようになっている。
【００２７】
したがって、上蓋５の上面に設けられた減速ギア２８が、カバー体２４の中空内部Ｓに収納され、既設水道管１からの流体により浸水されることがないため、減速ギア２８が予めバタフライ弁４に取り付けられた状態にて、後述するバタフライ弁４の設置工程を行うことができる。
【００２８】
また、カバー体２４の側周面の上部には、略水平のローラ軸３６周りに回転可能なガイドローラ３が、略等間隔に４箇所固定配設されている。さらにカバー２上部には、後述するバタフライ弁４を挿入する挿入機３４（挿入手段）の挿入ロッド３５と接続可能な接続部２６が設けられている。
【００２９】
次に、図６（ａ）、（ｂ）を用いて既設水道管１の切断工程について説明すると、筐体１０の接続口１０ａの上方には、接続口１０ａを開閉自在とし、閉状態においては筐体１０内部の水密性を保持できる開閉弁３０が配設されている。続いて、既設水道管１の外径よりも大なる内径及び高さを有し、下端周縁に下向きに配設された穿孔刃３２ａと、穿孔刃３２ａと同じ中心軸を有し穿孔刃３２ａよりも下方の位置に下向きに配設されたセンタードリル３２ｂと、センタードリル３２ｂの先方に設けられた掛止片３２ｃとを有する内空円筒状の穿孔用カッタ３２を、該切断工程に用いられる胴体３１（作業ケース）内部空間に設け、円筒状の穿孔用カッタ３２の中心軸がほぼ鉛直方向を向き、かつ筐体１０内の既設水道管１の中心軸とほぼ直交方向に交差する位置に配設するように、胴体３１を開閉弁３０の上方に水密的に連通接続する。
【００３０】
次に、開閉弁３０を開状態とし、穿孔用カッタ３２を回転動作させながら、穿孔刃３２ａが、既設水道管１の全断面を通過するように進退移動させるストローク３３により、穿孔用カッタ３２を下降動作させる。穿孔用カッタ３２の回転動作及び下降動作により、既設水道管１は穿孔用カッタ３２の下端周縁の直径寸法分離間した２箇所の切断面で、既設水道管１上面の外周面から下方に向かって徐々に切断され、穿孔刃３２ａが既設水道管１の全断面を通過するように下降動作した地点で、該２箇所の切断面で既設水道管１が切断され、該２箇所の切断面の間で管片１’が既設水道管１の管路から分断される。
【００３１】
上述の既設水道管１の切断動作において、既設水道管１は不断水状態であるため、既設水道管１内は水圧が加わった満水状態であり、穿孔用カッタ３２による切断動作において、センタードリル３２ｂが既設水道管１上面の外周面から既設水道管１の内部に達した時点で、既設水道管１の内部の流体が管外に漏出し、筐体１０の内空間及び上方に連通接続した胴体３１内部を満たすようになる。ただし、胴体３１内部は水密的であるため、図１（ａ）に示すように、既設水道管１の内部から漏出した流体が、筐体１０及び胴体３１の外部に漏出することはない。したがって、既設水道管１内の流体を不断水状態のまま、切断動作が可能となる。
【００３２】
また、上流側口１３ａ及び下流側口１３ｂと筐体１０外部とが排出路（図示略）により連通されており、前記切断動作は、既設水道管１の切断時に発生する切り粉を前記排出路より外部に排出させながら行われる。
【００３３】
次に、既設水道管１の切断動作後に、穿孔用カッタ３２と、センタードリル３２ｂの掛止片３２ｃに掛止した切断後の管片１’とを、胴体３１内部に引き上げ、開閉弁３０を閉状態としてから外部に搬出する（図６（ｂ））。
【００３４】
続いて筐体１０の内部において、既設水道管１を切断時に既設水道管１の切断面から発生し、上流側口１３ａ、下流側口１３ｂから排出されずに筐体１０内に残存した切り粉を、図示しない排出装置により接続口１０ａから排出して開閉弁３０を閉状態としておく。
【００３５】
次に、バタフライ弁４の設置工程について説明すると、図４（ａ）に示されるように、管片１’及び切り粉を排出した後の筐体１０の上方には、該設置工程で用いられる作業筒９（作業ケース）が、接続口９ａと筐体１０の接続口１０ａとが水密的に連通した状態で接続されている。作業筒９内部には、ボルト２７にて一体的に接続されたカバー２とバタフライ弁４とが配設されており、さらにカバー２とバタフライ弁４とは、挿入ロッド３５を介して作業筒９の上部に設けられた挿入機３４と接続されている。
【００３６】
尚、本実施例において作業ケースとは、バタフライ弁４の設置工程に用いられ開閉弁３０を有して筐体１０と接続される作業筒９と、前記した既設水道管１の切断工程に用いられ同様に筐体１０と接続される胴体３１とを示す。
【００３７】
次に、開閉弁３０を開状態とした後に、カバー２とバタフライ弁４とは、挿入機３４により作業筒９内部を上方から下方に向かって押圧され、図４（ｂ）に示されるように、筐体１０内部の所定の箇所に設置される。
【００３８】
開閉弁３０を開状態とした時に、筐体１０内の流体が作業筒９内部を満たすようになる。ただし、作業筒９内部は水密的であるため、図１（ａ）に示すように、既設水道管１の内部から漏出した流体が、作業筒９の外部に漏出することはない。したがって、既設水道管１内の流体を不断水状態のまま、バタフライ弁４の設置動作が可能となる。
【００３９】
このようにすることで、バタフライ弁４の上蓋５の上面に予め減速ギア２８を水密的に被覆可能なカバー２が取り付けられており、作業筒９内において、上蓋５の上面に予め減速ギア２８を取り付けた状態にてバタフライ弁４の設置が可能となるため、既設流路から流れ込む流体の浸入をカバー２により防いでおり、設置の際に減速ギア２８を防護できる。
【００４０】
また、このようにすることで、減速ギア２８を予め上蓋５に取り付けて水密的なカバー２で被覆することにより、バタフライ弁４の設置の際に流体の浸入を防ぐことができるため、減速ギア２８のギア部２８ａの潤滑性を確保できるばかりか、ギア部２８ａに付着している潤滑材が、既設流路に混入することを防護できる。
【００４１】
また、バタフライ弁４が挿入機３４により押圧される際には、ガイドローラ３が作業筒９の内面と当接して、回転しながらバタフライ弁４を筐体１０内部の所定の箇所に案内するようになっている。
【００４２】
さらにバタフライ弁４の所定の設置箇所となる筐体１０の接続口１０ａ近傍の内部には、バタフライ弁４の上蓋５の周面に沿って設けられるシール材８ａと当接可能となるように、段部１９が設けられている。同様にバタフライ弁４の仕切壁６の周面に沿って設けられるシール材８ｂと当接可能となるように、側面段部１５、底面段部１６が設けられており、さらに側面段部１５の両側部には、案内片２０、２０が上下方向に設けられ、下方に降下する仕切壁６を所定の設置箇所に案内可能としている。
【００４３】
そして、バタフライ弁４が筐体１０内部の所定の箇所に設置されるのと略同時に、上蓋５の周面に設けられたシール材８ａが、筐体１０内側面に設けられた段部１９と当接することにより、上蓋５が筐体１０の接続口１０ａ近傍を閉塞して、筐体１０内部が密封される。同様に、仕切壁６の周面に沿って設けられるシール材８ｂが側面段部１５、底面段部１６と当接することにより、仕切壁６の周面において筐体１０内部の流体の流れが遮断される。
【００４４】
バタフライ弁４の設置位置において、固定プラグねじ２３が筐体１０の外側面から螺挿されることにより、固定プラグねじ２３の先端部が、上蓋５の上面を摺接しながら筐体１０内部中心に向かって進入するため、バタフライ弁４を下方に押圧した状態での固定が可能となる。
【００４５】
したがって、仕切壁６の側面及び底面に備えたシール材８ｂが、均等に下方に荷重されるため、水密性を確保することができる。
【００４６】
このように、バタフライ弁４設置の後、流下流体に面する仕切壁６が筐体１０内部にて流体力を受けた場合においても、バタフライ弁４の仕切壁６を表裏両側から挟む位置に配設された案内片２０、２０が流体力を受け止めてバタフライ弁４を確実に固定保持する。
【００４７】
したがって、後述する操作軸２９を操作することで弁体７が開閉操作され、図１（ｃ）、（ｄ）に示されるように、流体の遮断状態若しくは流下状態が操作可能となる。
【００４８】
そして、図５に示されるように、作業筒９内に残存した流体を排水した後に、作業筒９及び挿入機３４を取り外し、ボルト２７を取り除いてカバー２を上蓋５から取り外す。取り外し作業等にあっては、作業筒９の側部に設けられる開閉自在な作業口９ｂから作業筒９内部に出入り可能となっている。
【００４９】
このようにすることで、バタフライ弁４の上蓋５の上面に予め減速ギア２８を水密的に被覆可能なカバー２が取り付けられており、水密的に密封された作業筒９及び筐体１０内において、上蓋５の上面に予め減速ギア２８を取り付けた状態にてバタフライ弁４の設置が可能となるため、バタフライ弁４の設置後に減速ギア２８を再度設置する作業を要することなく、設置工程を短縮化することができる。
【００５０】
また、このようにすることで、バタフライ弁４の設置の際に密封する密封ケースが、分割可能に接続される作業筒と筐体１０とからなり、所定の切除箇所が筐体１０の内部に設けられていることにより、筐体１０の内部を水密的に密封した後に、カバー２と共に作業筒９を取り外すことができるため、バタフライ弁４設置後の装置の構造がシンプルになるばかりか、カバー２や作業筒９の再利用が可能となる。
【００５１】
そして、上記のようにバタフライ弁４を設置して、作業筒９とカバー２とを取り外した後において、内部が水密的に密封された筐体１０の外部に突出した操作軸２９を回動することにより、筐体１０の外部から、筐体１０内部の弁体７の開閉操作が可能となる。
【００５２】
このようにすることで、密封ケースが、分割可能に接続される作業筒９と筐体１０とからなり、筐体１０の近傍において上蓋５により筐体１０の内部を密封した後に、カバー２と作業筒９とを取り外すことにより、既設水道管１を密封して残置される筐体１０が小型化できるため、筐体１０の既設水道管１への密封作業がし易くなる。
【００５３】
以上、本発明の実施例を図面により説明してきたが、具体的な構成はこれら実施例に限られるものではなく、本発明の要旨を逸脱しない範囲における変更や追加があっても本発明に含まれる。
【００５４】
例えば、上記実施例では、仕切弁としてバタフライ弁４が形成されているが、既設流路を開閉可能な弁体を有した仕切弁であれば必ずしもバタフライ弁４である必要はなく、例えば筐体１０内部に設置した仕切壁に対してスライド動により開閉可能なスルース弁体を有するスルース弁でもよいし、同様に設置した仕切壁に対して回動により開閉可能なボール弁体を有するボール弁であってもよい。
【００５５】
また、上記実施例では、作業ケースは、バタフライ弁４の設置工程で用いられる作業筒９と、既設水道管１の切断工程で用いられる胴体３１とに目的別に分けて使用されているが、作業ケースは、既設水道管１の切断工程からバタフライ弁４の設置工程に亘って同一の作業ケースであっても構わない。
【００５６】
また、上記実施例では、密封ケースは分割可能に接続される作業ケース（作業筒９及び胴体３１）と筐体１０とからなっていたが、密封ケースはこのような構造に限定されるものではなく、特に分割構造を有しない密封ケースであってもよい。
【００５７】
また、上記実施例では、既設水道管１の管内流体は上水であるが、管内流体は下水でもよいし、ガスでもよい。
【００５８】
また、上記実施例では、筐体１０の内部における既設水道管１の切断手段は、内空円筒状の穿孔用カッタ３２であったが、密封ケース内にて不断水状態で既設水道管１を切断できれば切断手段は穿孔用カッタ３２に限らない。
【図面の簡単な説明】
【００５９】
【図１】本発明の実施例における既設水道管に仕切弁が設けられた筐体を装着した配管の全体像を示す平面図である。（ａ）は、既設水道管に装着した状態及び管内流体の流下方向を示した平面図であり、（ｂ）は、同じく既設水道管を切断した状態を示した平面図であり、（ｃ）は、同じく筐体内部に設置されたバタフライ弁の開状態を示した平面図であり、（ｄ）は、同じくバタフライ弁の閉状態を示した平面図である。
【図２】（ａ）は、本発明におけるバタフライ弁を示す斜視図であり、（ｂ）は筐体の全体像を示す斜視図である。
【図３】（ａ）は、カバーの全体を示した縦断面図であり、（ｂ）は（ａ）のＡ−Ａ断面図である。
【図４】（ａ）は、バタフライ弁の設置される状況を示した縦断面図であり、（ｂ）は同じく設置された状況を示した縦断面図である。
【図５】バタフライ弁が設置された筐体の状況を示した縦断面図である。
【図６】（ａ）は、既設水道管の切断状況を示した図であり、（ｂ）は同じく管片除去の状況を示した図である。
【符号の説明】
【００６０】
１                既設水道管（既設流体管）
２                カバー
３                ガイドローラ
４                バタフライ弁（仕切弁）
５                上蓋
６                仕切壁
７                弁体
８ａ、８ｂ、８ｃ  シール材
９                作業筒（作業ケース）
９ａ              接続口
９ｂ              作業口
１０              筐体
１０ａ            接続口
１１              上部筐体
１２              下部筐体
１７              フランジ
１９              段部
２３              固定プラグねじ
２４              カバー体
２５              環状部材
２６              接続部
２７              ボルト
２８              減速ギア（動力伝達手段）
２８ａ            ギア部
２９              操作軸
３０              開閉弁
３１              胴体（作業ケース）
３２              穿孔用カッタ
３３              ストローク
３４              挿入機（挿入手段）
３５              挿入ロッド
３６              ローラ軸
４０              開閉軸
Ｅ                特定エリア
Ｓ                中空内部
【図１】
2006250295.tif 000003
【図２】
2006250295.tif 000004
【図３】
2006250295.tif 000005
【図４】
2006250295.tif 000006
【図５】
2006250295.tif 000007
【図６】
2006250295.tif 000008